(57)【要約】【課題】コピープロテクションを効果的に行う。【解決手段】入力端子１ａおよび１ｂからのメインデータ、サブコードがエンコーダ２ａ、２ｂで処理され、マルチプレクサ３を介してＥＦＭ変調部４に供給される。ＥＦＭ変調部４は、８−１４変換部５ａと、接続ビット選択部５ｂとからなる。ＥＦＭ変調部４に対してＤＳＶ通常制御７ａとＤＳＶ特殊制御７ｂとが用意される。光ディスク上の予め設定されている所定区間のみでＤＳＶ特殊制御がなされる。ＤＳＶの特殊制御は、正常なデータの再生を妨げるおそれを生じさせるほど、ＤＳＶの絶対値を増加させる方向の制御である。通常制御は、ＤＳＶの絶対値を０に収束させる方向の制御である。再生時には、所定区間の再生状況が正常でないことをもって、オリジナルディスクと判定される。所定区間に暗号化の鍵が記録できる。【選択図】  図１
2004296049.tif 000002
【特許請求の範囲】
【請求項１】
ＤＳＶを制御するディジタル変調方式を使用してディジタルデータを記録するデータ記録方法において、
所定区間のみ、記録されるデータのＤＳＶの絶対値を増加させるようにＤＳＶを制御するデータ記録方法。
【請求項２】
請求項１において、
上記ＤＳＶの絶対値の増加は、再生時にデータの読み取り不能を引き起こすものであるデータ記録方法。
【請求項３】
請求項１において、
上記ＤＳＶの絶対値の増加は、再生時に訂正不能や、誤った訂正を生じさせ、データのエラーを引き起こすものであるデータ記録方法。
【請求項４】
請求項１において、
上記データのエラーは、読み出す毎にデータ値が変化するものであるデータ記録方法。
【請求項５】
請求項１において、
上記ディジタル変調方式は、コードシンボル同士の境界に複数ビットの接続ビットが配され、上記接続ビットとして複数のビットパターンを持つものが用意され、
上記接続ビットのビットパターンを制御することによって、上記ＤＳＶを制御するものであるデータ記録方法。
【請求項６】
請求項１において、
上記ディジタル変調方式は、複数の異なるコード変換テーブルが用意され、テーブルの切り換えを行うことによってＤＳＶを制御するものであるデータ記録方法。
【請求項７】
請求項１において、
上記所定の区間は、コピープロテクションまたはセキュリティに関わる領域であるデータ記録方法。
【請求項８】
請求項１において、
上記所定区間のみ、上記ＤＳＶにオフセットを与えて記録されるデータのＤＳＶの絶対値を増加させるようにＤＳＶを制御するデータ記録方法。
【請求項９】
請求項８において、
上記ＤＳＶの値として所定の値を設定し、上記所定の値の絶対値を減少させるようにＤＳＶを制御するデータ記録方法。
【請求項１０】
請求項９において、
上記オフセットは、ｎ（ｎは自然数）フレーム単位で与えるデータ記録方法。
【請求項１１】
請求項９において、
記録エリアが同期信号エリアとデータエリアからなる場合、上記オフセットは、データエリア内の上記所定区間で与えるデータ記録方法。
【請求項１２】
請求項１１において、
上記データエリア内にサブコードの記録エリアが含まれる時に、上記オフセットを上記サブコード記録エリア以外のエリアで与えるデータ記録方法。
【請求項１３】
ＤＳＶを制御するディジタル変調方式を使用してディジタルデータを記録するデータ記録装置において、
所定区間のみ、記録されるデータのＤＳＶの絶対値を増加させるようにＤＳＶを制御するデータ記録装置。
【請求項１４】
請求項１３において、
上記ＤＳＶの絶対値の増加は、再生時にデータの読み取り不能を引き起こすものであるデータ記録装置。
【請求項１５】
請求項１３において、
上記ＤＳＶの絶対値の増加は、再生時に訂正不能や、誤った訂正を生じさせ、データのエラーを引き起こすものであるデータ記録装置。
【請求項１６】
請求項１３において、
上記データのエラーは、読み出す毎にデータ値が変化するものであるデータ記録装置。
【請求項１７】
請求項１３において、
上記ディジタル変調方式は、コードシンボル同士の境界に複数ビットの接続ビットが配され、上記接続ビットとして複数のビットパターンを持つものが用意され、
上記接続ビットのビットパターンを制御することによって、上記ＤＳＶを制御するものであるデータ記録装置。
【請求項１８】
請求項１３において、
上記ディジタル変調方式は、複数の異なるコード変換テーブルが用意され、テーブルの切り換えを行うことによってＤＳＶを制御するものであるデータ記録装置。
【請求項１９】
請求項１３において、
上記所定の区間は、コピープロテクションまたはセキュリティに関わる領域であるデータ記録装置。
【請求項２０】
請求項１３において、
上記所定区間のみ、上記ＤＳＶにオフセットを与えて記録されるデータのＤＳＶの絶対値を増加させるようにＤＳＶを制御するデータ記録装置。
【請求項２１】
請求項２０において、
上記オフセットは、ｎ（ｎは自然数）フレーム単位で与えるデータ記録装置。
【請求項２２】
請求項２０において、
記録エリアが同期信号エリアとデータエリアからなる場合、上記オフセットは、データエリア内の上記所定区間で与えるデータ記録装置。
【請求項２３】
請求項２２において、
上記データエリア内にサブコードの記録エリアが含まれる時に、上記オフセットを上記サブコード記録エリア以外のエリアで与えるデータ記録装置。
【請求項２４】
ＤＳＶを制御するディジタル変調方式を使用してディジタルデータが記録されているデータ記録媒体において、
所定区間のみ、記録されるデータのＤＳＶの絶対値を増加させるようにＤＳＶを制御するデータ記録媒体。
【請求項２５】
請求項２４において、
上記ＤＳＶの絶対値の増加は、再生時にデータの読み取り不能を引き起こすものであるデータ記録媒体。
【請求項２６】
請求項２４において、
上記ＤＳＶの絶対値の増加は、再生時に訂正不能や、誤った訂正を生じさせ、データのエラーを引き起こすものであるデータ記録媒体。
【請求項２７】
請求項２４において、
上記データのエラーは、読み出す毎にデータ値が変化するものであるデータ記録媒体。
【請求項２８】
請求項２４において、
上記ディジタル変調方式は、コードシンボル同士の境界に複数ビットの接続ビットが配され、上記接続ビットとして複数のビットパターンを持つものが用意され、
上記接続ビットのビットパターンを制御することによって、上記ＤＳＶを制御するものであるデータ記録媒体。
【請求項２９】
請求項２４において、
上記ディジタル変調方式は、複数の異なるコード変換テーブルが用意され、テーブルの切り換えを行うことによってＤＳＶを制御するものであるデータ記録媒体。
【請求項３０】
請求項２４において、
上記所定の区間は、コピープロテクションまたはセキュリティに関わる領域であるデータ記録媒体。
【請求項３１】
請求項２４において、
上記所定区間のみ、上記ＤＳＶにオフセットを与えて記録されるデータのＤＳＶの絶対値が増加するようにＤＳＶが制御されたデータ記録媒体。
【請求項３２】
請求項３１において、
上記オフセットは、ｎ（ｎは自然数）フレーム単位で与えられているデータ記録媒体。
【請求項３３】
請求項３１において、
記録エリアが同期信号エリアとデータエリアからなる場合、上記オフセットは、データエリア内の上記所定区間で与えられているデータ記録媒体。
【請求項３４】
請求項３３において、
上記データエリア内にサブコードの記録エリアが含まれる時に、上記オフセットが上記サブコード記録エリア以外のエリアで与えられているデータ記録媒体。
【請求項３５】
ＤＳＶを制御するディジタル変調方式を使用してディジタルデータが記録されているデータ記録媒体を再生するデータ再生方法において、
データ記録媒体の所定区間のみ、記録されるデータのＤＳＶの絶対値を増加させるようにＤＳＶが制御されており、
上記所定区間をアクセスし、上記所定区間の再生状況を情報として用いるようにしたデータ再生方法。
【請求項３６】
請求項３５において、
上記所定区間の再生状況を用いて上記データ記録媒体がオリジナルか否かを判別するようにしたデータ再生方法。
【請求項３７】
請求項３５において、
上記所定区間の再生状況は、データが再生不能か否かであるデータ再生方法。
【請求項３８】
請求項３５において、
上記所定区間の再生状況は、データのエラー状況であるデータ再生方法。
【請求項３９】
請求項３５において、
上記所定区間の再生状況は、複数回のアクセスにより得られたデータが同一であるか否かであるデータ再生方法。
【請求項４０】
請求項３５において、
上記ディジタル変調方式は、コードシンボル同士の境界に複数ビットの接続ビットが配され、上記接続ビットとして複数のビットパターンを持つものが用意され、
上記接続ビットのビットパターンを制御することによって、上記ＤＳＶを制御するものであるデータ再生方法。
【請求項４１】
請求項３５において、
上記ディジタル変調方式は、複数の異なるコード変換テーブルが用意され、テーブルの切り換えを行うことによってＤＳＶを制御するものであるデータ再生方法。
【請求項４２】
請求項３５において、
上記所定の区間は、コピープロテクションまたはセキュリティに関わる領域であるデータ再生方法。
【請求項４３】
請求項３５において、
上記情報は、鍵情報の一部であるデータ再生方法。
【請求項４４】
請求項３６において、
上記判別がオリジナルでない場合には、データの再生を禁止するデータ再生方法。
【請求項４５】
請求項３６において、
上記判別がオリジナルでない場合には、データの再生に対する警告を発生するデータ再生方法。
【請求項４６】
ＤＳＶを制御するディジタル変調方式を使用してディジタルデータが記録されているデータ記録媒体を再生するデータ再生装置において、
データ記録媒体の所定区間のみ、記録されるデータのＤＳＶの絶対値を増加させるようにＤＳＶが制御されており、
上記所定区間をアクセスし、上記所定区間の再生状況を情報として用いるようにしたデータ再生装置。
【請求項４７】
請求項４６において、
上記所定区間の再生状況を用いて上記データ記録媒体がオリジナルか否かを判別するようにしたデータ再生装置。
【請求項４８】
請求項４６において、
上記所定区間の再生状況は、データが再生不能か否かであるデータ再生装置。
【請求項４９】
請求項４６において、
上記所定区間の再生状況は、データのエラー状況であるデータ再生装置。
【請求項５０】
請求項４６において、
上記所定区間の再生状況は、複数回のアクセスにより得られたデータが同一であるか否かであるデータ再生装置。
【請求項５１】
請求項４６において、
上記ディジタル変調方式は、コードシンボル同士の境界に複数ビットの接続ビットが配され、上記接続ビットとして複数のビットパターンを持つものが用意され、
上記接続ビットのビットパターンを制御することによって、上記ＤＳＶを制御するものであるデータ再生装置。
【請求項５２】
請求項４６において、
上記ディジタル変調方式は、複数の異なるコード変換テーブルが用意され、テーブルの切り換えを行うことによってＤＳＶを制御するものであるデータ再生装置。
【請求項５３】
請求項４６において、
上記所定の区間は、コピープロテクションまたはセキュリティに関わる領域であるデータ再生装置。
【請求項５４】
請求項４６において、
上記情報は、鍵情報の一部であるデータ再生装置。
【請求項５５】
請求項４７において、
上記判別がオリジナルでない場合には、データの再生を禁止するデータ再生装置。
【請求項５６】
請求項４７において、
上記判別がオリジナルでない場合には、データの再生に対する警告を発生するデータ再生装置。
【発明の詳細な説明】
【０００１】
【発明の属する技術分野】
この発明は、例えば読み出し専用（ＲＯＭ）タイプの光ディスクに対して適用されるデータ記録方法および装置、データ記録媒体並びにデータ再生方法および装置に関する。
【０００２】
【従来の技術】
ＣＤ（Ｃｏｍｐ１ｃｔ  Ｄｉｓｃ）やＣＤ−ＲＯＭ（Ｃｏｍｐａｃｔ  Ｄｉｓｃ  Ｒｅａｄ  Ｏｎｌｙ  Ｍｅｍｏｒｙ）等の光ディスクは、取り扱いが容易で、製造コストも比較的安価なことから、データを保存しておくための記録媒体として、広く普及している。また、近年、データを追記録可能なＣＤ−Ｒ（Ｃｏｍｐａｃｔ  Ｄｉｓｃ  Ｒｅｃｏｒｄａｂｌｅ）ディスクや、データの再記録が可能なＣＤ−ＲＷ（Ｃｏｍｐａｃｔ  Ｄｉｓｃ  ＲｅＷｒｉｔａｂｌｅ）ディスクが登場してきており、このような光ディスクにデータを記録することも簡単に行えるようになってきてきる。このことから、ＣＤ−ＤＡディスクや、ＣＤ−ＲＯＭディスク、ＣＤ−Ｒディスク、ＣＤ−ＲＷディスク等、ＣＤ規格に準拠した光ディスクは、データ記録媒体の中核となってきている。更に、近年、ＭＰ３（ＭＰＥＧ１  Ａｕｄｉｏ  Ｌａｙｅｒ−３  ）やＡＴＲＡＣ（Ａｄａｐｔｉｖｅ  ＴＲａｎｓｆｏｒｍ  Ａｃｏｕｓｔｉｃ  Ｃｏｄｉｎｇ）  ３でオーディオデータを圧縮して、ＣＤ−ＲＯＭディスクやＣＤ−Ｒディスク、ＣＤ−ＲＷディスク等に記録することが行われている。
【０００３】
ところが、ＣＤ−ＲディスクやＣＤ−ＲＷ（Ｃｏｍｐａｃｔ  Ｄｉｓｃ  ＲｅＷｒｉｔａｂｌｅ）ディスクの登場により、ＣＤに記録されているデータは簡単にコピーできるようになってきている。このため、著作権の保護の問題が生じてきており、ＣＤのディスクにコンテンツデータを記録する際に、コンテンツデータを保護するための対策を講じる必要性がある。
【０００４】
図１７は、コピーの流れを概略的に示すものである。参照符号７１で示す再生装置によって、オリジナルのディスク例えばＣＤ７２を再生する。参照符号７３が光ピックアップであり、参照符号７４が再生信号処理部である。そして、再生装置７１からの再生データを記録装置８１の記録処理部８２に供給し、光ピックアップ８３によって光ディスク例えばＣＤ−Ｒ８４に対して記録する。ＣＤ−Ｒ８４には、オリジナルのＣＤ７２の記録内容がコピーされる。このように再生装置７１と記録装置８１とを使用して容易にオリジナルのＣＤ７２のコピーディスクが作成できる。
【０００５】
ＣＤの場合では、記録されるディジタル信号の直流成分を減少させるために、ＥＦＭ（Ｅｉｇｈｔ  ｔｏ  Ｆｏｕｒｔｅｅｎ  Ｍｏｄｕｌａｔｉｏｎ）を行っている。ＥＦＭでは、各データシンボル（８データビット）が１４チャンネルビットのコードシンボルへ変換され、１４チャンネルビット同士の間に３ビットの接続ビットが追加される。
【０００６】
従来、ＥＦＭのようなディジタル変調方式の特性に基づいて、ディスクに記録されているディジタル情報の複製を禁止しようとする方法が下記の特許文献１に記載されている。この特許文献１では、特殊なエンコーダと標準のエンコーダとが使用される。標準のエンコーダは、ＤＳＶ（Ｄｉｇｉｔａｌ  Ｓｕｍ  Ｖａｒｉａｔｉｏｎ）が一方向に累積するのに対して、特殊なエンコーダは、ＤＳＶが累積することを抑えている。標準のエンコーダによって所定のデータシーケンスを再符号化すると、ＤＳＶが発散するようになり、正常な再生が不可能になることを利用して複製防止をすることが開示されている。
【０００７】
【特許文献１】
特開平９−２８８８６４号公報
【０００８】
【発明が解決しようとする課題】
オリジナルかコピーかの判別のために、原盤製作時に欠陥を挿入しておき、オリジナルディスクの再生時にその欠陥を検出してオリジナルと判定する方法が提案されている。しかしながら、この方法は、オリジナルディスクに欠陥が含まれてしまう問題がある。また、欠陥の種類によっては、そのままコピーが可能で、ＣＤ−Ｒへの複製を防げない問題があった。さらに、標準エンコーダによっては、ＤＳＶが発散するようなデータに対して、ＤＳＶを発散しないように、ＤＳＶを制御する特殊なエンコーダは、使用できるデータの種類が限定され、エラー訂正符号化までを考慮した複雑なデータの制御が必要とされる問題があった。
【０００９】
したがって、この発明の目的は、意図的に欠陥を挿入せずに、制御が容易とできるデータ記録方法および装置、データ記録媒体並びにデータ再生方法および装置を提供することにある。
【００１０】
【課題を解決するための手段】
上述した課題を解決するために、請求項１の発明は、ＤＳＶを制御するディジタル変調方式を使用してディジタルデータを記録するデータ記録方法において、所定区間のみ、記録されるデータのＤＳＶの絶対値を増加させるようにＤＳＶを制御するデータ記録方法である。請求項１２の発明は、所定区間のみ、記録されるデータのＤＳＶの絶対値を増加させるようにＤＳＶを制御するデータ記録装置である。
【００１１】
請求項２４の発明は、ＤＳＶを制御するディジタル変調方式を使用してディジタルデータが記録されているデータ記録媒体において、所定区間のみ、記録されるデータのＤＳＶの絶対値を増加させるようにＤＳＶを制御するデータ記録媒体である。
【００１２】
請求項３５の発明は、ＤＳＶを制御するディジタル変調方式を使用してディジタルデータが記録されているデータ記録媒体を再生するデータ再生方法において、データ記録媒体の所定区間のみ、記録されるデータのＤＳＶの絶対値を増加させるようにＤＳＶが制御されており、所定区間をアクセスし、所定区間の再生状況を情報として用いるようにしたデータ再生方法である。請求項４６の発明は、データ記録媒体の所定区間のみ、記録されるデータのＤＳＶの絶対値を増加させるようにＤＳＶが制御されており、所定区間をアクセスし、所定区間の再生状況を情報として用いるようにしたデータ再生装置である。
【００１３】
請求項３６の発明は、所定区間の再生状況を用いてデータ記録媒体がオリジナルか否かを判別するようにしたデータ再生方法である。請求項４７の発明は、所定区間の再生状況を用いてデータ記録媒体がオリジナルか否かを判別するようにしたデータ再生装置である。
【００１４】
この発明では、所定区間のＤＳＶの絶対値を増加させるように、記録されるデータのＤＳＶが制御されている。所定区間を再生した場合には、読み取り不能、またはデータのエラーが生じる。そのことによって、再生されたデータ記録媒体がオリジナルであると判定できる。また、所定区間で、読み取り不能、またはデータのエラーが生じることを暗号化の鍵情報に対応させることができる。
【００１５】
【発明の実施の形態】
以下、この発明による記録装置の一実施形態について図１を参照して説明する。記録されるＰＣＭオーディオデータ等のメインデータは、入力端子１ａからＣＩＲＣ（Ｃｒｏｓｓ  Ｉｎｔｅｒｌｅａｖｅ  Ｒｅｅｄ−Ｓｏｌｏｍｏｎ  Ｃｏｄｅ）エンコーダ２ａに供給され、エラー訂正用のパリティデータ等を付加するエラー訂正符号化処理やスクランブル処理が施される。すなわち、１サンプルあるいは１ワードの１６ビットが上位８ビットと下位８ビットとに分割されてそれぞれシンボルとされ、このシンボル単位で、例えばＣＩＲＣによるエラー訂正用のパリティデータ等を付加するエラー訂正符号化処理やスクランブル処理が施される。入力端子１ｂからのサブコードがサブコードエンコーダ２ｂにてサブコードのＥＦＭフレームフォーマットを有するサブコードに変換される。
【００１６】
ＣＩＲＣエンコーダ２ａの出力およびサブコードエンコーダ２ｂの出力がマルチプレクサ３に供給され、所定の順序に配列される。マルチプレクサ３の出力データがＥＦＭ（Ｅｉｇｈｔ  ｔｏ  Ｆｏｕｒｔｅｅｎ  Ｍｏｄｕｌａｔｉｏｎ）変調部４に供給される。ＥＦＭ変調部４は、変換テーブルにしたがって８ビットのデータシンボルを１４チャンネルビットのコードワードへ変換する８−１４変換部５ａと、接続ビット（マージングビットとも称される）を選択する接続ビット選択部５ｂとからなる。接続ビット選択部５ｂは、ＥＦＭのランレングスの条件を満足するように、接続ビットを選択する。
【００１７】
ＥＦＭ変調部４に対するＤＳＶ制御として、ＤＳＶ通常制御７ａとＤＳＶ特殊制御７ｂとが用意されており、スイッチ６によって制御７ａおよび７ｂが切り換えられる。スイッチ６は、ＣＰＵで構成されるシステムコントローラ８によって制御される。光ディスク上の予め設定されている所定区間のみでＤＳＶ特殊制御がなされる。ＤＳＶの特殊制御は、正常なデータの再生を妨げるおそれを生じさせるほど、ＤＳＶの絶対値を増加させる方向の制御である。一方、ＤＳＶの通常制御は、ＤＳＶの絶対値を０に収束させる方向の制御である。ここで、ＤＳＶは、累積ＤＳＶを意味している。
【００１８】
所定区間は、サブコードエンコーダ２ｂで生成されるサブコードのアドレス情報で規定される。例えば所定区間は、コピープロテクションまたはセキュリティに関わる領域である。具体的には、ディスク上に記録されるコンテンツが暗号化され、暗号化鍵情報を生成するのに必要な情報が所定区間に記録される。また、ディスクに固有の識別情報を所定区間に記録するようにしても良い。さらに、所定区間でＤＳＶが特殊制御されていることをもって、ディスクがオリジナルであることを示すようにしても良い。メインデータのみならず、サブコードも、ＤＳＶ特殊制御を受けるので、再生時にサブコードを所定区間において再生できなくなるが、所定区間の前後で得られるサブコード（アドレス）を補間することによって、所定区間をアドレスで得ることができる。
【００１９】
ＥＦＭ変調部４からＣＤのＥＦＭフレームフォーマットの記録信号が発生する。ＥＦＭ変調部４からの記録信号が記録回路９を介して光ピックアップ１０に供給される。光ピックアップ１０によってＣＤ−Ｒ（Ｒｅｃｏｒｄａｂｌｅ）等の記録可能な光ディスク１１に対してデータが記録される。光ディスク１１は、ターンテーブルに載せられてスピンドルモータ１２によって回転される。スピンドルモータ１２は、サーボ部１３の制御によって一定線速度（ＣＬＶ）で回転駆動をされる。
【００２０】
サーボ部１３は、ＣＰＵから構成されたシステムコントローラ８からの動作指令に基づき、フォーカス、トラッキング、スレッド、スピンドルの各種サーボドライブ信号を生成し、スピンドルモータ１２および光ピックアップ１０にこれらの信号を出力している。システムコントローラ８は、記録装置の全体を制御するためのもので、サブコードエンコーダ２ｂの出力が供給される。また、図示しないが、ディスプレイ、操作スイッチ等がシステムコントローラ８に対して接続されている。光ピックアップ１０は、光ディスク１１の信号面に半導体レーザの光ビームを集光しつつ、光ディスク１１上に同心円状あるいはスパイラル状に形成されたトラック上にデータを記録する。光ピックアップ１０全体がスレッド機構により移動される。
【００２１】
ＣＤでは、２チャンネルのディジタルオーディオデータ合計１２サンプル（２４シンボル）から各４シンボルのパリティＱおよびパリティＰが形成される。この合計３２シンボルに対してサブコードの１シンボルを加えた３３シンボル（２６４データビット）をひとかたまりとして扱う。つまり、ＥＦＭ変調後の１フレーム内に、１シンボルのサブコードと、２４シンボルのデータと、４シンボルのＱパリティと、４シンボルのＰパリティとからなる３３シンボルが含まれる。
【００２２】
ＥＦＭ変調方式では、各シンボル（８データビット）が１４チャンネルビットへ変換される。ＥＦＭ変調の最小時間幅（記録信号の１と１との間の０の数が最小となる時間幅）Ｔｍｉｎ  が３Ｔであり、３Ｔに相当するピット長が０．８７μｍとなる。Ｔに相当するピット長が最短ピット長である。また、各１４チャンネルビットの間には、３ビットの接続ビットが配される。さらに、フレームの先頭にフレームシンクパターンが付加される。フレームシンクパターンは、チャンネルビットの周期をＴとする時に、１１Ｔ、１１Ｔおよび２Ｔが連続するパターンとされている。このようなパターンは、ＥＦＭ変調規則では、生じることがないもので、特異なパターンによってフレームシンクを検出可能としている。１ＥＦＭフレームは、総ビット数が５８８チャンネルビットからなるものである。フレーム周波数は、７．３５ｋＨｚとされている。
【００２３】
このようなＥＦＭフレームを９８個集めたものは、サブコードフレーム（またはサブコードブロック）と称される。９８個のフレームを縦方向に連続するように並べ換えて表したサブコードフレームは、サブコードフレームの先頭を識別するためのフレーム同期部と、サブコード部と、データおよびパリティ部とからなる。なお、このサブコードフレームは、通常のＣＤの再生時間の１／７５秒に相当する。
【００２４】
このサブコード部は、９８個のＥＦＭフレームから形成される。サブコード部における先頭の２フレームは、それぞれ、サブコードフレームの同期パターンであるとともに、ＥＦＭのアウトオブルール（ｏｕｔ  ｏｆ  ｒｕｌｅ）のパターンである。また、サブコード部における各ビットは、それぞれ、Ｐ，Ｑ，Ｒ，Ｓ，Ｔ，Ｕ，Ｖ，Ｗチャンネルを構成する。
【００２５】
ＲチャンネルないしＷチャンネルは、例えば静止画やいわゆるカラオケの文字表示等の特殊な用途に用いられるものである。また、ＰチャンネルおよびＱチャンネルは、ディスクに記録されているディジタルデータの再生時におけるピックアップのトラック位置制御動作に用いられるものである。
【００２６】
Ｐチャンネルは、ディスク内周部に位置するいわゆるリードインエリアでは、”０”  の信号を、ディスクの外周部に位置するいわゆるリードアウトエリアでは、所定の周期で”０”  と”１”  とを繰り返す信号を記録するのに用いられる。また、Ｐチャンネルは、ディスクのリードイン領域とリードアウト領域との間に位置するプログラム領域では、各曲の間を”１”、それ以外を”０”という信号を記録するのに用いられる。このようなＰチャンネルは、ＣＤに記録されているディジタルオーディオデータの再生時における各曲の頭出しのために設けられるものである。
【００２７】
Ｑチャンネルは、ＣＤに記録されているディジタルオーディオデータの再生時におけるより精細な制御を可能とするために設けられる。Ｑチャンネルの１サブコードフレームの構造は、同期ビット部と、コントロールビット部と、アドレスビット部と、データビット部と、ＣＲＣビット部とにより構成される。
【００２８】
図２は、再生専用の光ディスクを制作するためのマスタリング装置の構成を示す。マスタリング装置は、例えばＡｒイオンレーザ、Ｈｅ−ＣｄレーザやＫｒイオンレーザ等のガスレーザや半導体レーザであるレーザ４１と、このレーザ４１から出射されたレーザ光を変調する音響光学効果型または電気光学型の光変調器４２と、この光変調器４２を通過したレーザ光を集光し、感光物質であるフォトレジストが塗布されたディスク状のガラス原盤４４のフォトレジスト面に照射する対物レンズ等を有する記録手段である光ピックアップ４３を有する。
【００２９】
光変調器４２は、記録信号にしたがって、レーザ４１からのレーザ光を変調する。そして、マスタリング装置は、この変調されたレーザ光をガラス原盤４４に照射することによって、データが記録されたマスタを作成する。また、光ピックアップ４３とガラス原盤４４との距離が一定に保つように制御したり、トラッキングを制御したり、スピンドルモータ４５の回転駆動動作を制御するためのサーボ回路（図示せず）が設けられている。ガラス原盤４４がスピンドルモータ４５によって回転駆動される。
【００３０】
光変調器４２には、マスターリーダ４６からの記録信号が供給される。マスターリーダ４６は、図１を参照して説明した記録装置によって記録信号が記録された光ディスク１１を再生するものである。光変調器４２からの変調されたレーザビームによってガラス原盤４４上のフォトレジストが露光される。このように記録がなされたガラス原盤４４を現像し、電鋳処理することによってメタルマスタを作成し、次に、メタルマスタからマザーディスクが作成され、さらに次に、マザーディスクからスタンパが作成される。スタンパーを使用して、圧縮成形、射出成形等の方法によって、光ディスクが作成される。
【００３１】
図３は、上述したマスタリングおよびスタンピングによって作成された光ディスクを再生する再生装置の構成の一例を示す。図３において、参照符号２１がマスタリング、スタンピングの工程で作成されたディスクを示す。参照符号２２がディスク２１を回転駆動するスピンドルモータであり、２３がディスク２１に記録された信号を再生するための光ピックアップである。光ピックアップ２３は、レーザ光をディスク２１に照射する半導体レーザ、対物レンズ等の光学系、ディスク２１からの戻り光を受光するディテクタ、フォーカスおよびトラッキング機構等からなる。さらに、光ピックアップ２３は、スレッド機構（図示しない）によって、ディスク２１の径方向に送られる。
【００３２】
光ピックアップ２３の例えば４分割ディテクタからの出力信号がＲＦ部２４に供給される。ＲＦ部２４は、４分割ディテクタの各ディテクタの出力信号を演算することによって、再生（ＲＦ）信号、フォーカスエラー信号、トラッキングエラー信号を生成する。再生信号がシンク検出部（図示しない）を介してＥＦＭ復調部２５に供給され、ＥＦＭ復調の処理を受ける。検出されたフレームシンク、フォーカスエラー信号、トラッキングエラー信号がサーボ部２６に供給される。サーボ部２６は、ＲＦ信号の再生クロックに基づいてスピンドルモータ２２の回転動作を制御したり、光ピックアップ２３のフォーカスサーボ、トラッキングサーボを制御する。
【００３３】
ＥＦＭ復調部２５からのメインディジタルデータは、ＣＩＲＣデコーダ２７ａに供給され、エラー訂正の処理を受ける。さらに、図示しない補間回路によって補間され、出力端子２８ａに再生データとして取り出される。ＥＦＭ復調部２５からのサブコードデータがサブコードデコーダ２７ｂに供給される。サブコードデコーダ２７ｂは、ＰおよびＱチャンネルのサブコードを復号し、復号したサブコードデータを表示などのために出力される。
【００３４】
また、Ｑチャンネルのサブコードを復号して得たアドレス情報がサーボ部２６に供給される。サーボ部２６には、ＣＰＵからなるシステムコントローラ３０からの制御信号が供給される。システムコントローラ３０は、マイクロコンピュータによって構成されており、再生装置全体の動作を制御する。システムコントローラ３０と関連して、図示しないが、操作ボタンおよび表示部が設けられている。システムコントローラ３０は、ディスク２１の所望の位置にアクセスするために、サーボ部２６を制御するようになされている。システムコントローラ３０がサーボ部２６を制御することによって目的とするアドレスの情報を再生するためのシーク動作が可能とされている。
【００３５】
ＣＩＲＣデコーダ２７ａからのメインデータおよびサブコードデコーダ２７ｂからのサブコードがモニタ部２９に供給される。モニタ部２９に対してシステムコントローラ２９から所定区間を指示する指示信号が供給される。所定区間は、記録時にＤＳＶを特殊制御した区間である。モニタ部２９は、所定区間が指示されると、サブコードのＱチャンネルに含まれているアドレス情報を監視し、所定区間における再生状況をモニタする。所定区間では、ＤＳＶの特殊制御のために、メインデータのみならず、サブコードも正常に再生できなくなる。しかしながら、所定区間の前後では、サブコードを正常に再生でき、再生できたサブコードに基づいて所定区間を検出できる。必要であれば、所定区間においてアドレス情報が補間によって得られる。
【００３６】
所定区間では、正常なデータ再生を妨げるおそれがあるほど、ＤＳＶの絶対値が増加させられている。具体的には、再生回路のアシンメトリ補正などが影響され、読み取り不能が生じる。または、誤訂正によって、エラーが多くなり、所定区間のデータの値が読み出すたびに変わりうる状況となる。モニタ部２９は、これらの再生状況またはエラー状況のモニタ情報を検出し、システムコントローラ３０にモニタ情報を提供する。
【００３７】
ここで、所定区間でＤＳＶが特殊制御されていない場合、すなわち、オリジナルのディスクから再生したデータを記録したコピーディスクの場合では、所定区間で発生した何らかの２値データ（正常でない２値データ）に対して通常のＤＳＶ制御がなされるので、ＤＳＶの絶対値が増加することがない。すなわち、コピーディスクであれば、所定区間でデータを正常に再生することができる。このように、所定区間で正常にデータを再生できるか、またはできないかによって、オリジナルディスクとコピーディスクを判定することができる。したがって、モニタ部２９がシステムコントローラ３０に提供するモニタ情報に基づいて、システムコントローラ３０が再生したディスクがオリジナルか、コピーかを決定することができる。また、モニタ部２９においても、オリジナル／コピーを決定することができ、コピーであることの警告を行うように、警告表示部３１が制御される。コピーと判定した場合には、システムコントローラ３０がディスクの再生を禁止するようにしても良い。
【００３８】
さらに、ＤＳＶの特殊制御がなされた所定区間に、鍵情報等のコピープロテクションまたはセキュリティに関わるデータの値を記録するようにしても良い。例えば所定区間を複数のより短い区間に分割し、各分割区間毎にＤＳＶの制御が特殊制御と通常制御とで切り換えるようになされる。そして、特殊制御の分割区間、すなわち、データを正常に再生できない分割区間をデータの論理的な値の”０”に割り当て、通常制御の分割区間、すなわち、データを正常に再生できる分割区間をデータの論理的な値の”１”に割り当てる。若し、８個の分割区間を構成すれば、所定区間に８ビットのデータを埋め込むことができる。コピーディスクの場合には、再生したデータをＤＳＶの通常制御を行っているので、コピープロテクションまたはセキュリティに関わるデータを埋め込むことができず、コンテンツを復号することができず、実質的に再生が禁止され、コピープロテクションが達成できる。
【００３９】
ＥＦＭ変調におけるＤＳＶの制御について、以下説明する。図４は、ＥＦＭ変調部４における８ビットのデータビット（適宜データシンボルと称する）を１４ビットのチャンネルビット（適宜コードシンボルと称する）へ変換する規則を示す変換テーブルの一部である。図４では、データビットが１６進表記（００〜ＦＦ）と、１０進表記（０〜２５５）と、２進表記とで示されている。また、コードシンボルの１４ビット中の”１”  は、値が反転する位置を示している。データシンボルが８ビットであるので、２５６通りのコードシンボルのパターンが存在する。１４ビットのコードシンボルの全ては、最小時間幅（記録信号の１と１との間の０の数が最小となる時間幅）Ｔｍｉｎが３Ｔであり、最大時間幅（記録信号の１と１との間の０の数が最大となる時間幅）Ｔｍａｘが１１ＴであるＥＦＭの規則を満たしている。
【００４０】
１４ビットのコードシンボル同士を接続する場合でも、上述したＴｍｉｎ＝３Ｔ、Ｔｍａｘ＝１１Ｔのランレングスリミット条件を満たすために接続ビットが必要とされる。接続ビットとして、（０００）、（００１），（０１０），（１００）の４種類のパターンが用意されている。１４ビット同士の接続のために接続ビットが使用される一例について図５を参照して説明する。
【００４１】
図５Ａに示すように、前の１４ビットのパターンが（０１０）で終わり、次のデータシンボルが（０１１１０１１１）（１６進表記では、７７、１０進表記では、１１９）の場合を考える。このデータシンボルは、１４ビットのパターン（００１０００１０００００１０）に変換される。タイミングｔ０で前の１４ビットのパターンが終わり、接続ビットの間隔の後のタイミングｔ１で次の１４ビットのパターンが始まり、タイミングｔ２  で次の１４ビットのパターンが終わるものとしている。
【００４２】
上述した４種類の接続ビットとして、（１００）を適用した場合では、Ｔｍｉｎ＝３Ｔという条件が満たさなくなるので、この接続ビットは、使用されない。後の３個の接続ビットは、使用可能である。３個の接続ビットの内で実際に使用する接続ビットとして、ＤＳＶを減少させるものが選択される。ＤＳＶは、波形がハイレベルであれば＋１を与え、波形がローレベルであれば、−１を与えることで求められるものである。一例として、タイミングｔ０におけるＤＳＶが（−３）であると仮定する。
【００４３】
図５Ｂは、接続ビットとして（０００）を使用した場合の波形を示す。期間（ｔ０−ｔ１）のＤＳＶが＋３であり、期間（ｔ１−ｔ２）のＤＳＶが＋２であるので、タイミングｔ２  におけるＤＳＶは、（−３＋３＋２＝＋２）となる。図５Ｃは、接続ビットとして（０１０）を使用した場合の波形を示す。期間（ｔ０−ｔ１）のＤＳＶが−１であり、期間（ｔ１−ｔ２）のＤＳＶが−２であるので、タイミングｔ２  におけるＤＳＶは、（−３−１−２＝−６）となる。図５Ｄは、接続ビットとして（００１）を使用した場合の波形を示す。期間（ｔ０−ｔ１）のＤＳＶが＋１であり、期間（ｔ１−ｔ２）のＤＳＶが−２であるので、タイミングｔ２  におけるＤＳＶは、（−３＋１−２＝−４）となる。結局、タイミングｔ２  におけるＤＳＶが最も０に近くなる接続ビット（０００）が選択される。
【００４４】
接続ビット選択部５ｂは、ＥＦＭ変調部４（図１参照）内に備えられており、ＤＳＶ通常制御においては、上述したように、接続ビット選択部５ｂは、ＥＦＭ変調のランレングスリミット条件である、Ｔｍｉｎ＝３、Ｔｍａｘ＝１１を満たす接続ビットを選択し、その中で、ＤＳＶを収束させるものを選択している。この発明の一実施形態では、ＤＳＶ特殊制御を選択的に行うことが可能とされ、ＤＳＶ特殊制御では、データ読取にエラーを生じさせるほどＤＳＶの絶対値が大きくなるようにＥＦＭ変調を行うようにしている。
【００４５】
例えば図５の例において、常にデータシンボルとして（０１１１０１１１）を使用し、接続ビットとして、常に（０１０）を使用すると、ＤＳＶが負方向に増加していき、正常にデータを再生することが妨げられるほど、ＤＳＶの絶対値が大きくなる。
【００４６】
図６は、ＤＳＶの特殊制御の他の例である。図６Ａに示すように、データシンボルが（００００００００）（１６進表記では、００、１０進表記では、「０」）の場合を考える。このデータシンボルは、１４ビットのパターン（０１００１０００１０００００）に変換される。タイミングｔ１０で前の接続ビットのパターンが終わり、次の１４ビットのパターンが始まり、タイミングｔ１１で次の１４ビットのパターンが終わるものとしている。タイミングｔ１０におけるＤＳＶを０と仮定すると、累積ＤＳＶは、タイミングｔ１１では、＋３となる。
【００４７】
ここで、接続ビットとして、常に（００１）を使用すると、接続ビットの期間では、ＤＳＶが＋１となるので、次の１４ビットのパターンが始まるタイミングｔ１２では、ＤＳＶが＋４となる。次の１４ビットのパターンが終わるタイミングでは、ＤＳＶが＋７となり、（００１）の接続ビットの後のタイミングｔ１４では、ＤＳＶが＋８となる。このように、ＤＳＶの絶対値が増加する。なお、接続ビットとして、（０１０）を使用しても同様のＤＳＶ制御が可能である。
【００４８】
図７は、ＥＦＭ変調方式に対してこの発明を適用した一実施形態のより具体的な構成例を示す。図１と対応する構成部分に対して同一の参照符号を付してその説明を省略する。ＥＦＭ変調部４の接続ビット選択部５ｂに対して、接続ビット選択動作を制御するＤＳＶ制御部５ｃが設けられている。参照符号７ｃで示すオフセット付加部からのオフセットがスイッチ６ａを介してＤＳＶ制御部５ｃの制御レジスタに供給される。スイッチ５ｃは、システムコントローラ８によって制御される。
【００４９】
ＥＦＭ変調の通常制御では、ＤＳＶが０に収束するように制御されるが、図７に示す構成では、所定単位例えばフレーム単位ごとにスイッチ６ａがオンとされ、オフセット値ｍ（±４０，±７０等）がＤＳＶ制御部５ｃ内の制御レジスタに与えられ、ＤＳＶが−ｍに近づくように制御される。この制御によってＤＳＶの絶対値が増加するように制御する。オフセットを与える周期は、１フレーム単位に限らず、ｎ（ｎは自然数）フレーム単位で与えられる。
【００５０】
図８は、ＤＳＶ制御部５ｃの制御動作の流れを示す。最初のステップＳ１で制御レジスタの値が０とされる。ステップＳ２において、ＥＦＭフレームの同期信号（シンクと適宜表記する）の後の２番目のシンボルか否かが判定される。この判定のステップＳ２は、ＥＦＭの制御をフレームシンクとその直後のサブコードのシンボルとで制御レジスタから目標値を減算する処理（ステップＳ３）を行わなわず、シンクおよびサブコードにエラーが発生するおそれを少なくするための処理である。
【００５１】
２番目のシンボルの場合では、ステップＳ３において、制御レジスタから目標値が減算され、２番目のシンボルでない場合では、ステップＳ４において、シンボルがＥＦＭ化される。すなわち、変換テーブルにしたがって、８ビットのデータシンボルが１４チャンネルビットのＥＦＭ化シンボルへ変換される。
【００５２】
ステップＳ５において、ＥＦＭのランレングスの条件を満たす「３ビットの接続ビット＋ＥＦＭ化シンボル」のパターンを全て列挙する。ステップＳ６では、列挙された選択肢のそれぞれに関して、制御レジスタの値に対して、接続ビットのＤＳＶ値とＥＦＭ化シンボルのＤＳＶ値とを加算したＤＳＶ値が演算される。ステップＳ７において、列挙された選択肢の中で、演算された結果が最も０に近いものを選択し、ステップＳ８において、選択された「接続ビット＋ＥＦＭ化シンボル」を出力する。
【００５３】
ステップＳ９では、制御レジスタに対して出力される「接続ビット＋ＥＦＭ化シンボル」のＤＳＶ値が加算される。ステップＳ１０では、エンコードの対象のシンボルがなくなった否かが判定され、なくなった場合では、処理が終了し、なくならない場合では、ステップＳ２に処理が戻る。すなわち、１フレーム内のシンボルに対する処理終了すると、処理終了となる。
【００５４】
図９および図１０は、従来のＥＦＭ変調のＥＦＭ制御の場合のシンク／データシンボルとＥＦＭ化シンボル（ＥＦＭ信号）とＤＳＶ値との関係の一例を示している。図面のスペースの制約によって、時間的に連続したデータの変化が二つの図面に分けて示されている。
【００５５】
１フレームの先頭に所定のビットパターンのフレームシンク（ＳＹＮＣ）が位置し、次にサブコードのシンボルが位置する。ＳＹＮＣ／データシンボルは、１６進表記で表され、ＥＦＭ信号は、ＮＲＺで表記されており、”０”が波形のローレベルに対応し、”１”が波形のハイレベルに対応する。また、ＥＦＭ信号の先頭に接続ビット（３チャンネルビット）が付加されている。
【００５６】
ｄ−ＤＳＶは、接続ビットが付加されたシンク／データのそれぞれの単独のＤＳＶ値を示しており、”０”が−１、”１”が＋１に対応付けされてｄ−ＤＳＶが求められる。ＤＳＶは、ｄ−ＤＳＶを累積した値である。図９および図１０には、１ＥＦＭフレームと、その後のフレームの一部とが示されている。図９および図１０から分かるように、ＤＳＶが０付近となるように制御される。
【００５７】
図１１および図１２は、図８に示されているこの発明によるＤＳＶ制御の一例を示す。ここでは、１ＥＦＭフレーム単位で＋６０を目標に制御している。図９および図１０と同様に、一連の時間的変化が二つの図に分割して示されている。図１１および図１２において、Ｒは、ＤＳＶ制御部５ｃ内の制御レジスタの内容の値を表している。
【００５８】
ＥＦＭフレームの先頭のシンクの後にサブコードシンボルＳ０が位置する。サブコードシンボルＳ０は、９８フレーム単位のサブコードフレームの先頭に位置するシンボルであり、次のシンボルがＳ１である。シンボルＳ０およびＳ１は、サブコードフレームの同期信号である。ＥＦＭフレームシンクの後の２番目のシンボル（図１１における〔２４〕のデータシンボル）のタイミングで、−６０のオフセット値が制御レジスタに与えられる。この場合、そのタイミングのＤＳＶ（例えば−２）がオフセット値と加算され、加算結果の−６２が制御レジスタにセットされる。−６０の値は、一例であって、絶対値でｍ（ｍ≧１５：正の整数）があれば、任意の値に設定できる。１５は、ＤＳＶを増加させて再生に障害を起こすことが可能となる値である。
【００５９】
制御レジスタの内容にオフセット値−６０を加えることによって、目標値が＋６０に設定される。その結果、制御レジスタの値Ｒが０に向かい、ＤＳＶが＋６０に向かって増加するような制御がなされる。すなわち、制御レジスタにセットされる所定の値を設定することによって、所定の値の絶対値を減少させることによって、結果的にＤＳＶの絶対値を増加させる制御がなされることになる。なお、オフセット値を加えるタイミングとして、サブコードのタイミングを選んでも良い。
【００６０】
この発明は、ＥＦＭに限らず、他のディジタル変調方式に対しても適用できる。例えばこの発明は、ＤＶＤ（Ｄｉｇｉｔａｌ  Ｖｅｒｓａｔｉｌｅ  Ｄｉｓｃ）  で採用されている８−１６変調（ＥＦＭ  Ｐｌｕｓと称される）に対して適用できる。８−１６変調においては、８ビットのデータシンボルを１６チャンネルビットのコードワードへ変換するものである。このためのコード変換テーブルとして、図１３に示すように、４種類のテーブルが用意されている。各テーブルは、その時の状態１〜状態４に応じて選択され、また、各テーブルでは、コードワードが選択された後の状態（次の状態）が規定されている。
【００６１】
図１３は、メイン変換テーブルであり、メイン変換テーブル以外に図１４に示す補助テーブルが用意されている。補助テーブルも、４つのコード変換テーブルからなる。補助テーブルは、図１３に示すメインテーブルを用いて８−１６変換を行うと、ＤＳＶの絶対値が所定値以上になってしまうときに、ＤＳＶを所定値未満とするために使用される。メイン変換テーブルは、０〜２５５の全てのデータシンボルに対して適用されるのに対して、補助テーブルは、一部のデータシンボル例えば０〜１２７の分のみ用意されている。
【００６２】
図１５は、８−１６変調に対してこの発明を適用した記録装置の一例の構成を示す。記録される圧縮ビデオデータ等のメインデータは、入力端子５１ａからブロック化回路５２に供給され、ＩＤ情報が入力端子５１ｂからブロック化回路５２に供給される。ブロック化回路５２において、メインデータとＩＤ情報がブロック化される。ブロック化回路５２の出力データがエラー訂正エンコーダ５３に供給され、エラー訂正用のパリティデータ等を付加するエラー訂正符号化処理が施される。
【００６３】
エラー訂正エンコーダ５３の出力データが８−１６変調部５４に供給される。８−１６変調部５４は、上述したメイン変換テーブルおよび補助変換テーブルを使用して８ビットのデータシンボルを１６ビットのコードワードに変換するための変換テーブル５５ａと、変換テーブル５５ａに基づいて８ビットのデータシンボルを１６チャンネルビットのコードワードへ変換する８−１６変換部５５ｂとからなる。
【００６４】
８−１６変調部５４に対するＤＳＶ制御として、ＤＳＶ通常制御５７ａとＤＳＶ特殊制御５７ｂとが用意されており、スイッチ５６によって制御５７ａおよび５７ｂが切り換えられる。スイッチ５６は、ＣＰＵで構成されるシステムコントローラ５８によって制御される。光ディスク上の予め設定されている所定区間のみでＤＳＶ特殊制御がなされる。ＤＳＶの特殊制御は、正常なデータの再生を妨げるおそれを生じさせるほど、ＤＳＶの絶対値を増加させる方向の制御である。一方、ＤＳＶの通常制御は、ＤＳＶの絶対値を０に収束させる方向の制御である。ここで、ＤＳＶは、累積ＤＳＶを意味している。
【００６５】
所定区間は、アドレス情報で規定される。上述した一実施形態と同様に、例えば所定区間は、コピープロテクションまたはセキュリティに関わる領域である。ディスク上に記録されるコンテンツが暗号化され、暗号化鍵情報を生成するのに必要な情報が所定区間に記録される。また、ディスクに固有の識別情報を所定区間に記録するようにしても良い。さらに、所定区間でＤＳＶが特殊制御されていることをもって、ディスクがオリジナルであることを示すこともできる。
【００６６】
８−１６変調部５４からＥＦＭ  Ｐｌｕｓフレームフォーマットの記録信号が発生する。ＥＦＭ変調部５４からの記録信号が記録回路５９を介して光ピックアップ６０に供給される。光ピックアップ６０によってＤＶＤ−Ｒ（Ｒｅｃｏｒｄａｂｌｅ）等の記録可能な光ディスク６１に対してデータが記録される。光ディスク６１は、ターンテーブルに載せられてスピンドルモータ６２によってＣＬＶで回転される。
【００６７】
サーボ部６３は、ＣＰＵから構成されたシステムコントローラ５８からの動作指令に基づき、フォーカス、トラッキング、スレッド、スピンドルの各種サーボドライブ信号を生成し、スピンドルモータ６２および光ピックアップ６０にこれらの信号を出力している。システムコントローラ５８は、記録装置の全体を制御するためのもので、図示しないが、ディスプレイ、操作スイッチ等がシステムコントローラ５８に対して接続されている。光ピックアップ６０は、光ディスク６１の信号面に半導体レーザの光ビームを集光しつつ、光ディスク６１上に同心円状あるいはスパイラル状に形成されたトラック上にデータを記録する。光ピックアップ６０全体がスレッド機構により移動される。
【００６８】
上述した一実施形態と同様に、光ディスク６１がマスターディスクとして使用され、マスタリングによってディスクマスターが作成される。さらに、ディスクマスターからスタンパが作成され、レプリケーションによって多数のＤＶＤ−Ｖｉｄｅｏが作成される。
【００６９】
上述したＤＳＶが制御された光ディスクを再生する装置は、図３を参照して説明した再生装置と同様の構成とできる。すなわち、所定の区間において、ＤＳＶが特殊制御されているかどうかが判定される。オリジナルディスクの所定区間では、正常なデータ再生を妨げるおそれがあるほど、ＤＳＶの絶対値が増加させられている。具体的には、再生回路のアシンメトリ補正などが影響され、読み取り不能が生じる。または、エラーが多くなり、訂正不能になったり、誤訂正や誤検出が発生し、所定区間のデータの値が読み出すたびに変わりうる状況となる。これらの再生状況またはエラー状況のモニタ情報が検出され、再生装置のシステムコントローラにモニタ情報が提供される。
【００７０】
ここで、所定区間でＤＳＶが特殊制御されていない場合では、ＤＳＶの絶対値が増加することがない。所定区間で正常にデータを再生できるか、またはできないかによって、オリジナルディスクかコピーディスクかを認識することができる。コピーディスクの場合には、コピーであることの警告がなされたり、ディスクの再生が禁止される。さらに、ＤＳＶの特殊制御がなされた所定区間に、鍵情報等のコピープロテクションまたはセキュリティに関わるデータの値を記録することができる。
【００７１】
図１６は、８−１６変調の場合のＤＳＶの制御の一例を示している。図１６Ａに示すように、例えば１０進数表現で「６５」のデータシンボルは、現在の状態を状態１と仮定すると、状態１の変換テーブルによって、（００１００１００００１０００００）の１６チャンネルビットのコードワードへ変換される。この１６ビットのコードワードに関しては、ＤＳＶが＋２となる。次の状態は、状態２と規定されている。したがって、状態２の変換テーブルによって、１０進数表現で「６５」のデータシンボルは、（００１００１００００１０００００）の１６チャンネルビットのコードワードへ変換される。この１６ビットのコードワードのみでは、ＤＳＶが−２となる。したがって、累積ＤＳＶは、０となり、ＤＳＶの通常制御によって、ＤＳＶの絶対値が増加しないように制御される。
【００７２】
図１６Ｂに示すように、状態１ではなく、状態３または状態４の変換テーブルに基づいて、２番目のコードワードを選択する。状態３または状態４の変換テーブルによると、「６５」のデータシンボルは、（１００００１００００１０００００）の１６チャンネルビットのコードワードに変換される。このコードワードのデータが＋６である。したがって、１番目のコードワードと２番目のコードワードとの累積ＤＳＶは、＋８となり、ＤＳＶの絶対値が増加する。このように、コード変換に使用する変換テーブルの選択の規則を通常の規則と異ならせることによって、正常なデータの再生を妨げるように、ＤＳＶの絶対値が増加するようにできる。
【００７３】
この発明は、上述したこの発明の一実施形態等に限定されるものでは無く、この発明の要旨を逸脱しない範囲内で様々な変形や応用が可能である。例えばＥＦＭおよびＥＦＭＰｌｕｓ以外の変調方法である、８−１０変調、１−７変調、２−３変調等に対してもこの発明を適用することができる。
【００７４】
この発明は、例えばＣＤ−ＤＡのフォーマットのデータとＣＤ−ＲＯＭのフォーマットのデータをそれぞれ記録するマルチセッションの光ディスクに対しても適用できる。また、光ディスクに記録される情報としては、オーディオデータ、ビデオデータ、静止画像データ、文字データ、コンピュータグラフィックデータ、ゲームソフトウェア、およびコンピュータプログラム等の種々のデータが可能である。したがって、この発明は、例えばＤＶＤ−ＲＯＭに対しても適用できる。さらに、円板状に限らずカード状のデータ記録媒体に対してもこの発明を適用でき、よりさらに、この発明は、磁気記録媒体に対しても適用できる。
【００７５】
【発明の効果】
以上の説明から明らかなように、この発明によれば、所定区間では、正常なデータの再生を妨げるほど、ＤＳＶの絶対値が増加するように、ＤＳＶを制御している。オリジナルディスクをコピーしたディスクでは、所定区間のデータが通常のＤＳＶ制御を受けて記録されているので、コピーディスクを再生しても、所定区間でＤＳＶの絶対値が増加しない。したがって、所定区間が正常に再生できるか否かによって、媒体がオリジナルか、コピーかを判定することができ、また、所定区間にコピープロテクションまたはセキュリティのためのデータを埋め込むことができ、それを利用してコピーを防止できる。さらに、この発明と異なり、所定区間では、ＤＳＶが０に収束するような特殊な制御を行い、通常の制御では、ＤＳＶの絶対値が増加するように制御する方法では、そのような結果を生じさせるデータの種類が限定され、また、エラー訂正符号化を考慮してデータを選定する必要があり、データの選定が複雑となる。この発明は、かかるデータの選定が複雑となる問題が生じない。よりさらに、この発明は、オリジナルの媒体に対して意図的に欠陥を挿入するものではないので、フォーマット規格としても採用できる。
【図面の簡単な説明】
【図１】この発明の一実施形態による記録装置の構成を示すブロック図である。
【図２】この発明が適用可能なマスタリング装置の構成の一例を示すブロック図である。
【図３】この発明の一実施形態による再生装置の構成を示すブロック図である。
【図４】ＥＦＭ変換テーブルの一部を示す略線図である。
【図５】接続ビットの選択方法およびＤＳＶの制御方法の一例を説明するための略線図である。
【図６】ＤＳＶの制御方法の他の例を説明するための略線図である。
【図７】この発明の一実施形態のより具体的な構成例を示すブロック図である。
【図８】この発明の一実施形態のより具体的な制御例を示すフローチャートである。
【図９】従来のＥＦＭ変調のＤＳＶ制御の一例を示す略線図である。
【図１０】従来のＥＦＭ変調のＤＳＶ制御の一例を示す略線図である。
【図１１】この発明のＤＳＶ制御のより具体的な例を説明するための略線図である。
【図１２】この発明のＤＳＶ制御のより具体的な例を説明するための略線図である。
【図１３】８−１６変調に使用する変換テーブルのメインテーブルを説明するための略線図である。
【図１４】８−１６変調に使用する変換テーブルの補助テーブルを説明するための略線図である。
【図１５】８−１６変調に対してこの発明を適用した他の実施形態による記録装置の構成を示すブロック図である。
【図１６】他の実施形態におけるＤＳＶ制御を説明するための略線図である。
【図１７】ディスクのコピーの流れを説明するためのブロック図である。
【符号の説明】
４・・・ＥＦＭ変調部、５ａ・・・８−１４変換部、５ｂ・・・接続ビット選択部、６・・・スイッチ、７ａ・・・ＤＳＶ通常制御部、７ｂ・・・ＤＳＶ特殊制御部、８・・・システムコントローラ、２９・・・再生状況をモニタするモニタ部、３０・・・システムコントローラ、４４・・・ガラス原盤、５４・・・８−１６変調部、５７ａ・・・ＤＳＶ通常制御部、５７ｂ・・・ＤＳＶ特殊制御部
【図１】
2004296049.tif 000003
【図２】
2004296049.tif 000004
【図３】
2004296049.tif 000005
【図４】
2004296049.tif 000006
【図５】
2004296049.tif 000007
【図６】
2004296049.tif 000008
【図７】
2004296049.tif 000009
【図８】
2004296049.tif 000010
【図９】
2004296049.tif 000011
【図１０】
2004296049.tif 000012
【図１１】
2004296049.tif 000013
【図１２】
2004296049.tif 000014
【図１３】
2004296049.tif 000015
【図１４】
2004296049.tif 000016
【図１５】
2004296049.tif 000017
【図１６】
2004296049.tif 000018
【図１７】
2004296049.tif 000019